【手続補正書】
【提出日】平成20年1月30日(2008.1.30)
【手続補正１】
【補正対象書類名】明細書
【補正対象項目名】特許請求の範囲
【補正方法】変更
【補正の内容】
【特許請求の範囲】
【請求項１】  ヒトの歯を白くし且つ感受性を軽減するための歯科用漂白組成物であって、
ヒトの歯と接触したときに歯を白くする作用を示すような量の少なくとも１種の歯科漂白剤、
歯科用漂白組成物を基準に約0.01％〜約2％の量の硝酸カリウム、および
歯科漂白剤と硝酸カリウムとを分散させるキャリアーを含み、
歯科用漂白組成物は実質的に研磨剤を含まない、歯科用漂白組成物。
【請求項２】  硝酸カリウムが歯科用漂白組成物を基準に約0.05重量％〜約1重量％の量である請求項１に記載の歯科用漂白組成物。
【請求項３】  硝酸カリウムが歯科用漂白組成物を基準に約0.5重量％の量である請求項１に記載の歯科用漂白組成物。
【請求項４】  キャリアーが少なくとも１種の粘着性付与剤を含む請求項１に記載の歯科用漂白組成物。
【請求項５】  粘着性付与剤がカルボキシポリメチレン、ガム、または蛋白質のうちの少なくとも１種である請求項４に記載の歯科用漂白組成物。
【請求項６】  キャリアーが、歯科用漂白組成物を基準に約50重量％までの水を含む請求項１に記載の歯科用漂白組成物。
【請求項７】  キャリアーが少なくとも１種のポリオールを含む請求項１に記載の歯科用漂白組成物。
【請求項８】  ポリオールが、グリセリン、プロピレングリコール、ポリプロピレングリコール、ポリエチレングリコール、エリトリトール、ソルビトール、またはマンニトールのうちの少なくとも１種を含む請求項７に記載の歯科用漂白組成物。
【請求項９】  クロロヘキシサジン、テトラサイクリン、塩化セチルピリジニウム、塩化ベンザルコニウム、臭化セチルピリジニウム、安息香酸メチルまたは安息香酸プロピルの少なくとも１種を含む少なくとも１種の抗微生物剤をさらに含む請求項１に記載の歯科用漂白組成物。
【請求項１０】  モノフルオロリン酸ナトリウム、フッ化ナトリウム、またはフッ化第１錫のうちの少なくとも１種を含む少なくとも１種の抗齲蝕剤をさらに含む請求項１に記載の歯科用漂白組成物。
【請求項１１】  歯科漂白剤が、過酸化水素、過酸化カルバミド、過硼酸ナトリウム、過酸化ベンゾイル、または過酸化グリセロールのうちの少なくとも１種を含む請求項１に記載の歯科用漂白組成物。
【請求項１２】  歯科漂白剤が歯科用漂白組成物を基準に約0.5重量％〜約50重量％の量である請求項１に記載の歯科用漂白組成物。
【請求項１３】  歯科漂白剤が歯科用漂白組成物を基準に約1重量％〜約30重量％の量である請求項１に記載の歯科用漂白組成物。
【請求項１４】  歯科漂白剤が歯科用漂白組成物を基準に約3重量％〜約20重量％の量である請求項１に記載の歯科用漂白組成物。
【請求項１５】  EDTA、EDTAの塩、アジピン酸、コハク酸、クエン酸、錫の硝酸塩、または錫のリン酸塩のうちの少なくとも１種を含む少なくとも１種の漂白剤安定剤をさらに含む請求項１に記載の歯科用漂白組成物。
【請求項１６】  ブラッシングやスクラッビングすることなくヒトの歯を白くし且つ感受性を軽減するようになっている歯科用漂白組成物であって、
歯科用漂白組成物を用いてヒトの歯をブラッシングしたりスクラッビングすることなくヒトの歯に歯を白くする作用をもたらすような量の少なくとも１種の歯科漂白剤；
歯科用漂白組成物を基準に約0.01重量％〜約2重量％の量硝酸カリウムであり、歯科漂白剤組成物がブラッシングまたはスクラッビングすることなく少なくとも約15分の期間の間ヒトの歯との接触状態で静止して保持するとき、(i)歯科漂白剤による歯の白色化作用の増強または(ii)歯科漂白剤によりもたらされ得る感受性の軽減のうちの少なくとも一つをもたらすような硝酸カリウム；および
歯科漂白剤と硝酸カリウムとが分散される、実質的に研磨剤の含有しないキャリアーを含む歯科用漂白組成物。
【請求項１７】  ヒトの歯を白くし且つ感受性を軽減する方法であって、当該方法は：
ヒトの歯と接触したときに歯を白くする作用を示すような量の歯科漂白剤、
歯科用漂白組成物を基準に約0.01重量％〜約2重量％の量の硝酸カリウム、および
歯科漂白剤と硝酸カリウムとを分散させるキャリアーを含む歯科用漂白組成物を用意し；そして
歯科用漂白組成物が少なくとも約１５分の期間の間、ヒトの歯を歯科用漂白組成物と接触させることを含むヒトの歯を白くし且つ感受性を軽減する方法。
【請求項１８】  歯科用漂白組成物を歯科用トレー中に入れ、次いでヒトの歯に歯科用トレーを配置することをさらに含む請求項１７に記載のヒトの歯を白くし且つ感受性を軽減する方法。
【請求項１９】  歯科用トレーが柔軟な薄い壁をもつ歯科用トレーである請求項１８に記載のヒトの歯を白くし且つ感受性を軽減する方法。
【請求項２０】  ヒトの歯を歯科用漂白組成物に少なくとも約1時間接触させる請求項１７に記載のヒトの歯を白くし且つ感受性を軽減する方法。
【請求項２１】  ヒトの歯を歯科用漂白組成物に少なくとも約2時間接触させる請求項１７に記載のヒトの歯を白くし且つ感受性を軽減する方法。
【請求項２２】  硝酸カリウムが歯科用漂白組成物を基準に約0.05重量％〜約1重量％の量である請求項１７に記載のヒトの歯を白くし且つ感受性を軽減する方法。
【請求項２３】  硝酸カリウムが歯科用漂白組成物を基準に約0.5重量％の量である請求項１７に記載のヒトの歯を白くし且つ感受性を軽減する方法。
【請求項２４】  キャリアーが少なくとも１種の粘着性付与剤を含む請求項１７に記載のヒトの歯を白くし且つ感受性を軽減する方法。
【請求項２５】  粘着付与剤がカルボキシポリメチレン、ガム、または蛋白質のうちの少なくとも１種を含む請求項２４に記載の歯科用漂白組成物。
【請求項２６】  キャリアーが、歯科用漂白組成物を基準に約50重量％までの水を含む請求項１７に記載のヒトの歯を白くし且つ感受性を軽減する方法。
【請求項２７】  キャリアーが少なくとも１種のポリオールを含む請求項１７に記載のヒトの歯を白くし且つ感受性を軽減する方法。
【請求項２８】  ポリオールが、グリセリン、プロピレングリコール、ポリプロピレングリコール、ポリエチレングリコール、エリトリトール、ソルビトール、またはマンニトールのうちの少なくとも１種を含む請求項２７に記載のヒトの歯を白くし且つ感受性を軽減する方法。
【請求項２９】  クロロヘキサジン、テトラサイクリン、塩化セチルピリジニウム、塩化ベンザルコニウム、臭化セチルピリジニウム、安息香酸メチルまたは安息香酸プロピルのうちの少なくとも１種を含む少なくとも１種の抗微生物剤をさらに含む請求項１７に記載のヒトの歯を白くし且つ感受性を軽減する方法。
【請求項３０】  歯科漂白用組成物が、モノフルオロリン酸ナトリウム、フッ化ナトリウム、またはフッ化第１錫のうちの少なくとも１種を含む少なくとも１種の抗齲蝕剤をさらに含有する請求項１８に記載のヒトの歯を白くし且つ感受性を軽減する方法。
【請求項３１】  歯科漂白剤が、過酸化水素、過酸化カルバミド、過硼酸ナトリウム、過酸化ベンゾイル、または過酸化グリセロールのうちの少なくとも１種を含む請求項１７に記載のヒトの歯を白くし且つ感受性を軽減する方法。
【請求項３２】  歯科漂白剤が歯科用漂白組成物を基準に約0.5重量％〜約50重量％の量である請求項１７に記載のヒトの歯を白くし且つ感受性を軽減する方法。
【請求項３３】  歯科漂白剤が歯科用漂白組成物を基準に約1重量％〜約30重量％の量である請求項１７に記載のヒトの歯を白くし且つ感受性を軽減する方法。
【請求項３４】  歯科漂白剤が歯科用漂白組成物を基準に約3重量％〜約20重量％の量である請求項１７に記載のヒトの歯を白くし且つ感受性を軽減する方法。
【請求項３５】  EDTA、EDTAの塩、アジピン酸、コハク酸、クエン酸、錫の硝酸塩、または錫のリン酸塩のうちの少なくとも１種を含む、少なくとも１種の漂白剤安定剤をさらに含有する請求項１７に記載のヒトの歯を白くし且つ感受性を軽減する方法。
【請求項３６】  歯科用漂白組成物が実質的に研磨剤を含まない請求項１７に記載のヒトの歯を白くし且つ感受性を軽減する方法。
【請求項３７】  ヒトの歯を白くする方法であって、
(a)歯科用漂白組成物を用意し、ここで当該歯科用漂白組成物が
(i)歯を白くするような量で含まれる歯科漂白剤、
(ii)歯科用漂白組成物を基準に約0.01重量％〜約2重量％の量で含有される硝酸カリウム、および
(iii)歯科漂白剤と硝酸カリウムとを分散するキャリアーを含み、
(b)一定量の歯科用漂白組成物を歯科用トレー中に導入し、そして
(c)ヒトの歯を白くするように少なくとも約15分間の間にわたって前記歯科用トレーをヒトの歯に配置する、ヒトの歯を白くする方法。
【請求項３８】  ヒトの歯を白くし且つ感受性を軽減させるためのシステムであって、
ヒトの歯と接触したときに歯を白くする作用を示すような量の歯科漂白剤、
歯科用漂白組成物を基準に約0.01重量％〜約2重量％の量で含まれる硝酸カリウム、および
歯科漂白剤と硝酸カリウムとを分散させるキャリアー を含む歯科用漂白組成物；ならびに
薄い、柔軟なポリマーシート材料を含むヒトの歯を白くし且つ感受性を軽減させるためのシステム。
【請求項３９】  薄い、柔軟なポリマーシート材料が歯科用トレーの形態である請求項３８に記載のヒトの歯を白くし且つ感受性を軽減させるためのシステム。
【請求項４０】  薄い、柔軟なポリマーシート材料がそれから歯科用トレーを作成するのに適している平らなシートである請求項３８に記載のヒトの歯を白くし且つ感受性を軽減させるためのシステム。
【請求項４１】  シート材料が、約0.2mm〜約1.5mmの範囲の予備形成厚さの透明なビニル材料である請求項３８に記載のヒトの歯を白くし且つ感受性を軽減させるためのシステム。
【請求項４２】  シート材料が、約0.25mm〜約1mmの範囲の予備形成厚さの透明なビニル材料である請求項３８に記載のヒトの歯を白くし且つ感受性を軽減させるためのシステム。
【請求項４３】  歯科用印象材料、ヒトの歯を表す石質型用材料、および光硬化性成形材料をさらに含む請求項３８に記載のヒトの歯を白くし且つ感受性を軽減させるためのシステム。